(57)【要約】      （修正有）【課題】平滑な歯型の成形型の作成において、余分な水分を除去しうる液状石膏の供給棒を提供する。【解決手段】細長い本体１の先端部に液状石膏の保持部２を設け、保持部２を非塗装の木材からなる吸水性材料で構成し、且つ偏平でその長手方向に沿う中心線上に凹陥した凹陥部２ａを形成する。液状石膏を原型に注入する時、供給棒の多孔質の作用によって、液状石膏の余分な水分は吸着され、硬化後の石膏型の表面は切欠く部のない滑らかなものとなる。【選択図】図１
0003188689.tif 000002
【実用新案登録請求の範囲】
【請求項１】
細長い本体(1)と、
その本体(1)の先端部に設けた液状石膏の保持部(2)と、を具備し、
その保持部(2)は、偏平でその長手方向に沿う中心線上に凹陥した凹陥部(2a)を有し、且つ少なくともその凹陥部(2a)が吸水性材料からなる歯科用液状石膏の供給棒。
【請求項２】
請求項１に記載の歯科用液状石膏の供給棒において、
前記吸水性材料として、非塗装の木材からなる歯科用液状石膏の供給棒。
【請求項３】
請求項１又は請求項２のいずれかに記載の歯科用液状石膏の供給棒において、
保持部(2)の表面に、その長手方向に割れ目(3)を設けた歯科用液状石膏の供給棒。
【考案の詳細な説明】
【技術分野】
【０００１】
本考案は、義歯の成形型に使用する液状石膏の供給器具に関する。
【背景技術】
【０００２】
義歯の作成において、先ず、印象材（シリコーンゴムまたはアルギン酸）により患者の歯型原型をとり、次に、その原型に石膏を供給して成形型をつくる。成形型の製造に使用する石膏は、３０〜４０重量％の混水比で水と石膏を練合わせて、その液状石膏を調整する。
義歯は、人の口腔内に装着するものであり、成形型は精密に作成される必要がある。そして、得られた石膏型の表面は平滑であることが要求される。
【０００３】
歯型に使用される液状石膏は粘度が高いため、石膏粉末と水とを練合わせの際、気泡が入りやすい欠点がある。石膏から分離した水滴や、気泡が液状石膏内に存在すると、原型に石膏を流し入れて硬化させたとき、図８に示す如く、成形型６に孔７が生じる。
石膏と水の練合わせに当り、水滴や気泡混入防止策として、消泡剤などの添加物を使用する方法が提案されている。
【先行技術文献】
【特許文献】
【０００４】
【特許文献１】特開平６−１３３９９０号公報
【考案の概要】
【考案が解決しようとする課題】
【０００５】
しかしながら、出願人の経験から、気泡が混入している場合のみならず、余分な水分を多く含んでいても同様に孔７が生じることがわかっている。このような場合、余分な水分を除いて成形型の表面を平滑に作成することは、極めて難しく、歯科技工士の熟練に頼るほかなかった。
本考案は、係る課題を解決することができる器具を提供するものである。すなわち、余分な水分を単純な構造により、除去することが可能な石膏の供給棒を提供するものである。
【課題を解決するための手段】
【０００６】
請求項１に記載の本考案は、細長い本体(1)と、
その本体(1)の先端部に設けた液状石膏の保持部(2)と、を具備し、
その保持部(2)は、偏平でその長手方向に沿う中心線上に凹陥した凹陥部(2a)を有し、且つ少なくともその凹陥部(2a)が吸水性材料からなる歯科用液状石膏の供給棒である。
【０００７】
請求項２に記載の本考案は、請求項１に記載の歯科用液状石膏の供給棒において、
前記吸水性材料として、非塗装の木材からなる歯科用液状石膏の供給棒である。
【０００８】
請求項３に記載の本考案は、請求項１又は請求項２のいずれかに記載の歯科用液状石膏の供給棒において、
保持部(2)の表面に、その長手方向に割れ目(3)を設けた歯科用液状石膏の供給棒である。
【考案の効果】
【０００９】
本考案の歯科用液状石膏の供給棒は、本体１の先端部に設けた保持部２に偏平でその長手方向に沿う中心線上に吸水性材料からなる凹陥した凹陥部２ａを有している。そのため、液状石膏を原型に注入するとき、吸水性材料からなる凹陥部２ａが液状石膏に含まれる余分な水分・気泡を吸着するため、液状石膏の硬化後に生じうる孔を可及的に除去しうる。
【００１０】
また、請求項２のごとく、吸水性材料として非塗装の木材を使用するときは、凹陥部２ａは多孔質性を有するため、効率よく液状石膏に含まれる水分・気泡を吸着することができる。
さらに、請求項３のごとく、吸水性の凹陥部２ａの表面に、その長手方向に割れ目３を設けた場合には、割れ目３の毛管作用により、より効率的に液状石膏に含まれる水分・気泡を吸着することができる。
【図面の簡単な説明】
【００１１】
【図１】本考案の歯科用液状石膏の供給棒の要部斜視図。
【図２】図１のII−II矢視断面図。
【図３】図１のIII−III矢視断面図。
【図４】同供給棒の凹陥部2aの第２実施例を示す断面図。
【図５】同供給棒の凹陥部2aの第３実施例を示す断面図。
【図６】本考案の歯科用液状石膏の供給棒の使用状態を示す説明図。
【図７】同使用状態を示す説明図。
【図８】液状石膏に気泡が混入した状態で、石膏が硬化した場合の問題点を示す説明図。
【考案を実施するための形態】
【００１２】
次に、図面に基づいて、本考案の実施の形態につき説明する。
【００１３】
（構造）
図１〜図３は、本考案の歯科用液状石膏の供給棒の第１実施例を示している。
歯科用液状石膏の供給棒は、液状石膏の余分な水分を吸着するために、吸水性材料である木材やセラミック等の多孔質な棒状体を切削加工等により作成する。
供給棒の本体１は、把持部1aと保持部２からなり、一例として、保持部２は、把持部1aの一端に、図１及び図３に示す如く、段付き且つ偏平に形成する。それととともに、その先端に向けて先細りに切削される。保持部２には、液状石膏を保持するため、その長手方向に沿う中心線上に、浅く細長いスプーン状の凹陥部2aが設けられる。
【００１４】
この実施例の図に示す如く、通常、本体１は丸棒を使用する場合が多いが、図５の実施例に示す如く、角材を使用して形成することもできる。この場合においても、保持部２は偏平で、その先端に向けて先細りに切削される。
【００１５】
図４は、本考案の歯科用液状石膏の供給棒の他の実施例を示しており、この実施例が第１実施例と異なる点は、凹陥部2aの表面に割れ目３を設けている点である。割れ目３の毛管作用により、より効率的に液状石膏に含まれる水分を吸着することができる。
この例では、凹陥部2aの底部に１筋の割れ目３を設けているが、複数本設けることも可能である。また、この割れ目３を設ける個所は、その作用を発揮できる箇所であれば、凹陥部2aの底部のみに限られるものではない。また、供給棒の本体１の太さ、偏平の幅その他は、石膏の供給対象（原型）の大小に応じて、適宜な大きさとされる。
【００１６】
（他の実施例）
上述の実施例のほか、さらに次のように供給棒の本体１を製造することもできる。
一例として、本体１の把持部1aと保持部２とを異なる材料とし、液状石膏の保持部２及び凹陥部2aを吸水性材料とすることが考えられる。この場合は、把持部1aと保持部２とを結合するための結合部を設ける必要がある。結合部材の作成に当たっては、例として、保持部２の端部と把持部1aの端部に差し込み用の挿入孔を設けて結合材を差し込むことにより連結すればよい。
さらに、保持部２の凹陥部2aのみを吸水性材料とすることも、請求項の範囲に含まれるものである。
【００１７】
（使用方法）
次に、図６及び図７に従って、本実施例の供給棒の本体１を使用する方法について説明する。
先ず、石膏と水とを練合わせ、液状石膏４を調整する。一般的な調整割合は、石膏６０％〜７０％に対して、水３０％〜４０％とする。
歯科技工士は、供給棒の本体１の把持部1aを持ち、図６のごとく、供給棒の保持部２を調整した液状石膏４の中に入れ、保持部２に液状石膏４をすくい上げる。次いで、図７のごとく、歯型原型５に液状石膏４を流し込み、硬化させることで、成形型を作成する。この時、歯型原型は振動台に載せられ、供給棒および、液状石膏４は振動しつつ、原型に供給される。この間、供給棒の多孔質の作用によって、液状石膏４の余分な水分は吸着される。その結果、石膏型の表面は欠切部のない滑らかなものとなる。
【符号の説明】
【００１８】
１  本体
1a  把持部
２  保持部
2a  凹陥部
３  割れ目
４  液状石膏
５  原型
６  成形型
７  孔
【図１】
0003188689.tif 000003
【図２】
0003188689.tif 000004
【図３】
0003188689.tif 000005
【図４】
0003188689.tif 000006
【図５】
0003188689.tif 000007
【図６】
0003188689.tif 000008
【図７】
0003188689.tif 000009
【図８】
0003188689.tif 000010